【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
チャンバ、
チャンバ内に露出している表面を有する感光性要素の2次元アレイであって、計算的な処理を伴わずに試料の高分解能像を取得する信号を生成することが可能な、要素の2次元アレイ、および
感光性要素の2次元アレイに接続されているプロセッサ
を有する、試料を撮像するための高分解能撮像機器
を含む装置。
【請求項２】
光源も含む、請求項1記載の装置。
【請求項３】
流体が漏出しないようチャンバが密封されている、請求項1記載の装置。
【請求項４】
撮像機器が撮像用集積回路を含む、請求項1記載の装置。
【請求項５】
集積回路が裏面照射される、請求項4記載の装置。
【請求項６】
機器から得られた情報を使って試料の前記高分解能像を表示、解析、または保存するようにプログラミングされたコンピュータ式システムも含む、請求項1記載の装置。
【請求項７】
試料が固体を含む、請求項1記載の装置。
【請求項８】
試料が、液体を含むか、または、液体中に懸濁もしくは溶解されている、請求項1記載の装置。
【請求項９】
チャンバに隣接した少なくとも1つの電極も含む、請求項1記載の装置。
【請求項１０】
チャンバに隣接した加温要素も含む、請求項1記載の装置。
【請求項１１】
チャンバに隣接した温度プローブも含む、請求項1記載の装置。
【請求項１２】
チャンバに隣接したpHプローブも含む、請求項1記載の装置。
【請求項１３】
光源から表面への光路が該表面に対して45度以上の角度になるように該光源が位置決めされている、請求項2記載の装置。
【請求項１４】
光源から表面への光路が該表面に対して最大で45度の角度になるように該光源が位置決めされている、請求項2記載の装置。
【請求項１５】
光源から表面への光路が該表面に対してほぼ平行になるように該光源が位置決めされている、請求項2記載の装置。
【請求項１６】
光源が発光ダイオードを含む、請求項2記載の装置。
【請求項１７】
光源が環境光を含む、請求項2記載の装置。
【請求項１８】
光源が可搬式の多色光源を含む、請求項2記載の装置。
【請求項１９】
感光性要素の2次元アレイの表面に取り付けられている透明な耐薬品性材料の層も含む、請求項1記載の装置。
【請求項２０】
耐薬品性材料がダイヤモンドを含む、請求項19記載の装置。
【請求項２１】
耐薬品性材料がAl2O3を含む、請求項19記載の装置。
【請求項２２】
耐薬品性材料がSi3N4を含む、請求項19記載の装置。
【請求項２３】
表面上に波長フィルタリング材料の層も含む、請求項1記載の装置。
【請求項２４】
表面上に、蛍光体を含有する光透過性材料の層も含む、請求項1記載の装置。
【請求項２５】
試料が光を発する、請求項1記載の装置。
【請求項２６】
表面をコーティングする偏光材料の層も含む、請求項1記載の装置。
【請求項２７】
表面をコーティングする接着性材料の層も含む、請求項1記載の装置。
【請求項２８】
感光性アレイが高分解能を提供する、請求項1記載の装置。
【請求項２９】
チャンバ、
チャンバ内に露出している表面を少なくとも有する感光性要素の2次元アレイであって、計算的な処理を伴わずに試料の高分解能像を取得する信号を生成することが可能な、要素の2次元アレイ、
感光性要素の2次元アレイに対して光学通路に沿って平行化されている平行化光源、および
感光性要素の2次元アレイに接続されているプロセッサ
を有する、試料を撮像するための高分解能撮像機器
を含む装置。
【請求項３０】
チャンバ、
チャンバ内に露出している表面を有する感光性要素の2次元アレイであって、計算的な処理を伴わずに高分解能像を取得する信号を生成することが可能な、要素の2次元アレイ、
感光性要素の2次元アレイの表面を試料から保護するための層であって、感光性要素の2次元アレイの表面に取り付けられている層、および
感光性要素の2次元アレイに接続されているプロセッサ
を有する、試料を撮像するための高分解能撮像機器
を含む装置。
【請求項３１】
耐薬品性である、十分に透明かつ絶縁性である、誘電性である、既定の波長帯の一部に対して実質的に透過性である、シラン処理されている、パシベーションされている（passivated）、偏光性である、吸光性である、干渉性である、プラズモン生成性である、接着性である、またはこれらの任意の2つ以上である材料を前記層が含む、請求項30記載の装置。
【請求項３２】
耐薬品性である材料を前記層が含む、請求項30記載の装置。
【請求項３３】
陰圧または陽圧下にあるチャンバ、
チャンバ内に露出している表面を有する感光性要素の2次元アレイ、
1つまたは複数の流体チャネルであって、これに沿って、試料を運ぶ流体がチャンバ内または外へ流れることができる、流体チャネル、
感光性要素の2次元アレイに対して光学通路に沿って平行化されている光源、
感光性要素の2次元アレイの表面に取り付けられており、かつ、感光性要素の2次元アレイを研磨性の試料から保護するための耐薬品性材料を含む、層、および
感光性要素の2次元アレイに接続されているプロセッサ
を有する、試料を撮像するための撮像機器
を含む装置であって、
試料の少なくとも一部が感光性要素の2次元アレイから何マイクロメートルも離れて位置しており、かつ、試料の少なくとも一部が液体中に懸濁または溶解されており、要素の2次元アレイが、計算的な処理を伴わずに高分解能像を取得する信号をする生成することが可能である、装置。
【請求項３４】
前記1つまたは複数の流体チャネルのうちの少なくとも1つが、単一の流入チャネルを含む、請求項1記載の装置。
【請求項３５】
前記1つまたは複数の流体チャネルのうちの少なくとも1つが、2つ以上の流入チャネルを含む、請求項1記載の装置。
【請求項３６】
前記1つまたは複数の流体チャネルのうちの少なくとも1つが、単一の流出チャネルを含む、請求項1記載の装置。
【請求項３７】
前記1つまたは複数の流体チャネルのうちの少なくとも1つが、2つ以上の流出チャネルを含む、請求項1記載の装置。
【請求項３８】
高分解能像を、人間のオペレータに対し、第二のコンピュータ式システムに対し、または人間のオペレータおよび第二のコンピュータ式システムの両方に対し表示または転送する、請求項1記載の装置。
【請求項３９】
試料の少なくとも一部が感光性要素の2次元アレイから何十マイクロメートルも離れて位置している、請求項1記載の装置。
【請求項４０】
試料の少なくとも一部が感光性要素の2次元アレイから何マイクロメートルも離れて位置している、請求項1記載の装置。
【請求項４１】
試料の少なくとも一部が、感光性要素の2次元アレイから、感光性要素の平均幅の約半分未満に等しい距離に位置している、請求項1記載の装置。
【請求項４２】
試料が液体中に懸濁されている、請求項1記載の装置。
【請求項４３】
感光性要素の2次元アレイを研磨性の試料から保護することが可能な耐薬品性材料を前記層が含む、請求項33記載の装置。
【請求項４４】
チャンバが、マイクロポンプ、シリンジ、重力、表面張力、および回転ディスクのうちの少なくとも1つによって提供される陰圧または陽圧下にある、請求項1記載の装置。
【請求項４５】
プロセッサが、高分解能画像解析、保存、照明コントロール、表示、またはそれらの任意の組み合わせのためのファームウェア、ソフトウェア、またはファームウェアおよびソフトウェアの両方を含む、請求項1記載の装置。
【請求項４６】
試料が有機試料を含む、請求項1記載の装置。
【請求項４７】
試料が無機試料を含む、請求項1記載の装置。
【請求項４８】
試料が100ミクロンよりも大きい、請求項1記載の装置。
【請求項４９】
試料が20〜100ミクロンである、請求項1記載の装置。
【請求項５０】
試料が20ミクロンよりも小さい、請求項1記載の装置。
【請求項５１】
チャンバ内または外に液体試料を流すように、前記1つまたは複数の流体チャネルのうちの少なくとも1つが、チャンバに開口している下方端部と上方端部とを含む、請求項1記載の装置。
【請求項５２】
前記1つまたは複数の流体チャネルのうちの少なくとも1つが、チャンバの高さ未満である高さを含む、請求項1記載の装置。
【請求項５３】
前記1つまたは複数の流体チャネルのうちの少なくとも1つが、チャンバの壁内に位置する表面を含む、請求項1記載の装置。
【請求項５４】
互いに対向して置かれている少なくとも1つの流入チャネルおよび少なくとも1つの流出チャネルも含む、請求項1記載の装置。
【請求項５５】
1つまたは複数の流体チャネルをさらに含み、これに沿って、試料を運ぶ流体がチャンバ内または外へ流れることができる、請求項1記載の装置。
【請求項５６】
流体試料のリザーバと、流体試料をリザーバからチャンバに出入りさせるために前記1つまたは複数の流体チャネルのうちの少なくとも1つに取り付けられているポンプとをも含む、請求項55記載の装置。
【請求項５７】
光源が、平行化されている光源である、請求項2記載の装置。
【請求項５８】
平行化されている光源が、レンズ、フィルタ、またはそれらの任意の組合せを含む、請求項57記載の装置。
【請求項５９】
感光性要素の2次元アレイ上の光の入射角が傾斜している、請求項57記載の装置。
【請求項６０】
感光性要素の2次元アレイ上の光の入射角が垂直である、請求項57記載の装置。
【請求項６１】
感光性要素の2次元アレイの表面に取り付けられている層も含む、請求項57記載の装置。
【請求項６２】
平行化されている光源が、連続的である、パルス状である、偏光している、構造化されている、またはそれらの任意の組み合わせである光を産出する、請求項57記載の装置。
【請求項６３】
チャンバが、不透明な壁および透明な上部を含むリッドをさらに含む、請求項1記載の装置。
【手続補正２】
【補正対象書類名】明細書
【補正対象項目名】００１４
【補正方法】変更
【補正の内容】
【００１４】
[本発明1001]
感光性のピクセルアレイと
該アレイに関連する表面であって、試料の少なくとも一部がピクセルの平均幅の約半分未満に等しい距離だけ表面から離れた状態で該試料を受けるように構成された表面と
を有する撮像機器
を含む装置。
[本発明1002]
試料も包含する、本発明1001の装置。
[本発明1003]
光源も含む、本発明1001の装置。
[本発明1004]
表面に隣接し、かつ、該表面から空間があいている壁であって試料を照明するための光を透過する壁により一部が規定される、試料チャンバ
も含む、本発明1001の装置。
[本発明1005]
流体試料をチャンバ内に運ぶための流体チャネルも含む、本発明1004の装置。
[本発明1006]
流体が漏出しないようチャンバが密封されている、本発明1004の装置。
[本発明1007]
流体試料をチャンバから外に運ぶための第二の流体チャネルも含む、本発明1004の装置。
[本発明1008]
流体試料のリザーバと、該流体試料を該リザーバからチャンバに出入りさせるためのポンプとをも含む、本発明1005の装置。
[本発明1009]
撮像機器が撮像用集積回路を含む、本発明1001の装置。
[本発明1010]
集積回路が裏面照射される、本発明1009の装置。
[本発明1011]
機器から得られた情報を使って試料の高分解能像を表示、解析、または保存するようにプログラミングされたコンピュータ式システムも含む、本発明1001の装置。
[本発明1012]
試料が固体を含む、本発明1001の装置。
[本発明1013]
試料が、液体を含むか、または、液体中に懸濁もしくは溶解されている、本発明1001の装置。
[本発明1014]
壁が、チャンバに隣接した少なくとも1つの電極を有する、本発明1004の装置。
[本発明1015]
壁が、チャンバに隣接した加温要素を有する、本発明1004の装置。
[本発明1016]
壁が、チャンバに隣接した温度プローブを有する、本発明1004の装置。
[本発明1017]
壁が、チャンバに隣接したpHプローブを有する、本発明1004の装置。
[本発明1018]
壁が少なくとも部分的に半透明である、本発明1004の装置。
[本発明1019]
光源から表面への光路が該表面に対して45度以上の角度になるように該光源が位置決めされている、本発明1003の装置。
[本発明1020]
光源から表面への光路が該表面に対して最大で45度の角度になるように該光源が位置決めされている、本発明1003の装置。
[本発明1021]
光源から表面への光路が該表面に対してほぼ平行になるように該光源が位置決めされている、本発明1003の装置。
[本発明1022]
光源が発光ダイオードを含む、本発明1003の装置。
[本発明1023]
光源が環境光を含む、本発明1003の装置。
[本発明1024]
光源が可搬式の多色光源を含む、本発明1003の装置。
[本発明1025]
表面上に透明な耐薬品性材料の層も含む、本発明1002の装置。
[本発明1026]
耐薬品性材料がダイヤモンドを含む、本発明1025の装置。
[本発明1027]
耐薬品性材料がAl2O3を含む、本発明1025の装置。
[本発明1028]
耐薬品性材料がSi3N4を含む、本発明1025の装置。
[本発明1029]
表面上に波長フィルタリング材料の層も含む、本発明1001の装置。
[本発明1030]
表面上に、蛍光体を含有する光透過性材料の層も含む、本発明1001の装置。
[本発明1031]
試料が光を発する、本発明1001の装置。
[本発明1032]
表面をコーティングする偏光材料の層も含む、本発明1001の装置。
[本発明1033]
表面をコーティングする接着性材料の層も含む、本発明1001の装置。
[本発明1034]
感光性アレイが高分解能を提供する、本発明1001の装置。
[本発明1035]
感光性アレイを有する撮像機器と、
該アレイに関連する表面であって、試料の少なくとも一部が近接場条件を満たすかまたは少なくともほぼ満たす距離だけ感光性アレイから離れた状態で該試料を受けるように構成された表面
とを含む装置。
[本発明1036]
感光性のピクセルアレイに関連する表面から、ピクセルの平均幅の約半分未満に等しい距離に、試料の少なくとも一部を置く段階；および
該感光性アレイにより生成された信号を用いて該試料の高分解能像を生じる段階
を含む方法。
他の利点および特徴は、以下の説明および特許請求の範囲から明らかになるであろう。